(57)【特許請求の範囲】
【請求項１】
堰壁上に一定間隔おきに立設される支柱と、支柱の上端部をつなぐ上枠と、支柱の下端部をつなぐ下枠とによって手摺り枠体を形成し、手摺り枠体の左右に対向する支柱と上枠と下枠とからなる各ガラス取付枠にガラス板を嵌装してなる手摺りのガラス板取付構造であって、各ガラス取付枠の支柱は、角筒状の支柱本体と、これの室外側面に突設されてその左右両側にガラス嵌合部を形成する目地枠とからなり、下枠は、左右に対向する支柱の目地枠間に介挿されると共に、左右に隣り合うガラス取付枠の両下枠の対向端部が目地枠の下端側で互いに突き合わせられて、両下枠の対向端部が支柱本体にビス止めされ、この突き合わせられた両下枠の対向端部間の隙間を覆う化粧カバーが設けられ、
化粧カバーは、両下枠の対向端部の室外側面を覆う正面板部と、前記対向端部の底面を覆う下板部とで略Ｌ字状に形成されたカバー本体からなるもので、下板部の内側縁部には前記対向端部の室内側面にビス止めされるビス止め片が設けられ、正面板部の上端部には前記対向端部の室外側面上端部に係止される係止縁部が設けられている手摺りのガラス板取付構造。
【発明の詳細な説明】
【技術分野】
【０００１】
本発明は、建物のベランダ等の室外側端部に設置される手摺りに関するもので、特に、堰壁上に一定間隔をおいて立設される支柱と、これら支柱の上端部をつなぐ上枠と、支柱の下端部をつなぐ下枠とによって矩形状の手摺り枠体を形成し、この手摺り枠体の左右に対向する支柱と上枠と下枠とからなる各ガラス取付枠にガラス板を嵌装するようにした手摺りのガラス板取付構造に関するに関する。
【背景技術】
【０００２】
本発明の出願人は、以前に、上記手摺りのガラス板取付構造において、各ガラス取付枠の支柱を、角筒状の支柱本体と、これの室外側面に突設されてその左右両側にガラス嵌合溝を形成する突条壁とで構成し、各ガラス取付枠の下枠を、左右に対向する支柱の突条壁間に介挿し、左右に隣り合うガラス取付枠の両下枠の対向端部を突条壁の下端側で互いに突き合わて、両下枠の対向端部を支柱本体にビス止め固定し、そして左右に対向する支柱の突条壁間に上方よりガラス板を挿入して嵌め込むようにしたガラス板取付構造を提案している。
【０００３】
上記ガラス板取付構造によれば、ガラス板の嵌め込みが容易であると共に、各支柱は、そのガラス嵌合溝の溝深さをできるだけ浅く形成することが可能で、それにより各支柱の見附幅を幅狭にできて、室内側から見た支柱の見栄えが良好となる。
【発明の概要】
【発明が解決しようとする課題】
【０００４】
ところが、上記ガラス板取付構造にあっては、支柱の突条壁の下端側で隣り合うガラス取付枠の双方の下枠の対向端部が突き合わされ、この付き合わさった両下枠の対向端部間に隙間ができるため、外観上好ましくない。更に、この場合に、両下枠の対向端部を支柱本体にビス止めするようになっているが、このビス止めにあたって、下枠の室外側面から直接支柱本体に対しビスをねじ込むことはできないため、下枠の少なくとも室外側側壁にドリル、ビス、ドライバー挿通用の大きな孔を開け、この室外側側壁の孔から、先ずドリルを挿入して下枠の室内側側壁にビス挿通用孔を開け、次いで室外側側壁の孔からドライバーと共にビスを挿入して、支柱本体の室外側面にビスをねじ込むようにすることから、下枠端部の室外側面には大きな孔が開口し、上記した両下枠の対向端部間の隙間と共に、外観上の体裁、見栄えを悪くしている。
【０００５】
本発明は、上記のような課題に鑑み、ガラス取付枠の下枠の対向端部における外観上の体裁、見栄えを良くすることのできる手摺りのガラス板取付構造を提供することを目的としている。
【課題を解決するための手段】
【０００６】
上記課題を解決するための手段を、後述する実施形態の参照符号を付して説明すると、請求項１に係る発明は、堰壁７上に一定間隔おきに立設される支柱２と、支柱２の上端部をつなぐ上枠３と、支柱２の下端部をつなぐ下枠４とによって手摺り枠体１を形成し、手摺り枠体１の左右に対向する支柱２，２と上枠３と下枠４とからなる各ガラス取付枠５にガラス板６を嵌装してなる手摺りのガラス板取付構造であって、各ガラス取付枠５の支柱２は、角筒状の支柱本体８と、これの室外側面に突設されてその左右両側にガラス嵌合部１１，１１を形成する目地枠９とからなり、下枠４は、左右に対向する支柱２，２の目地枠９，９間に介挿されると共に、左右に隣り合うガラス取付枠５の両下枠４，４の対向端部４ａ，４ａが目地枠９の下端側で互いに突き合わせられて、両下枠４，４の対向端部４ａ，４ａが支柱本体８にビス２９止めされ、この突き合わせられた両下枠４，４の対向端部４ａ，４ａ間の隙間２５を覆う化粧カバー２６が設けられ、化粧カバー２６は、両下枠４，４の対向端部４ａ，４ａの室外側面を覆う正面板部２６ａと、前記対向端部４ａ，４ａの底面を覆う下板部２６ｂとで略Ｌ字状に形成されたカバー本体２６ａｂからなるもので、下板部２６ｂの内側縁部には前記対向端部４ａ，４ａの室内側面にビス３７止めされるビス止め片２６ｃが設けられ、正面板部２６ａの上端部には前記対向端部４ａ，４ａの室外側面上端部に係止される係止縁部２６ｄが設けられていることを特徴としている。
【発明の効果】
【０００８】
上記解決手段による発明の効果を、後述する実施形態の参照符号を付して説明すると、請求項１に係る発明によれば、各ガラス取付枠５の支柱２が、角筒状の支柱本体８と、これの室外側面に突設されてその左右両側にガラス嵌合部１１，１１を形成する目地枠９とからなり、左右に対向する支柱２，２の目地枠９，９間に下枠４が介挿されると共に、左右に隣り合うガラス取付枠５の両下枠４，４の対向端部４ａ，４ａが目地枠９の下端側で互いに突き合わせられて、両下枠４，４の対向端部４ａ，４ａが支柱本体８にビス２９止めされ、この突き合わさった両下枠４，４の対向端部４ａ，４ａ間の隙間２５を覆う化粧カバー２６が設けられているため、両下枠４，４の対向端部４ａ，４ａの間隙２５が覆い隠されると共に、下枠４の室外側側壁３１に設けられた孔３５，３６が覆い隠されることになって、両下枠４，４の対向端部４ａ，４ａにおける室外側での外観上の体裁、見栄えを良くすることができる。
【０００９】
加えて、化粧カバー２６は、両下枠４，４の対向端部４ａ，４ａの室外側面を覆う正面板部２６ａと、前記対向端部４ａ，４ａの底面を覆う下板部２６ｂとで略Ｌ字状に形成されたカバー本体２６ａｂからなるもので、下板部２６ｂの内側縁部には前記対向端部４ａ，４ａの室内側面にビス３７止めされるビス止め片２６ｃが設けられ、正面板部２６ａの上端部には前記対向端部４ａ，４ａの室外側面上端部に係止される係止縁部２６ｄが設けてあるから、カバー本体２６ａｂを下枠４の室外側面及び底面に嵌合させ、ビス止片２６ｃを下枠４の室内側下端コーナー部に係合させ、係止縁部２６ｄを下枠４の室外側面上端部に係止させて、ビス止片２６ｃをビス３７で下枠４の室内側側壁３２に固定することにより、簡単容易に取り付けることができる。
【図面の簡単な説明】
【００１０】
【図１】本発明に係る手摺りを室外側から見た正面図である。
【図２】図１のＡ−Ａ拡大断面図である。
【図３】図１のＢ−Ｂ線拡大面図である。
【図４】(a) は図３の一部拡大図で、本発明のガラス板取付構造の一実施形態を示し、(b) は化粧縁に先付けビートを取り付ける状態を示す説明図である。
【図５】支柱への下枠端部の取付部分を示す斜視図である。
【発明を実施するための形態】
【００１１】
以下に本発明の好適な一実施形態を図面に基づいて説明すると、図１は本発明に係る他の手摺りを室外側から見た正面図、図２は図１のＡ−Ａ拡大断面図、図３は図１のＢ−Ｂ線拡大面図、図４は図３の一部拡大図である。ここに示す手摺りは、ベランダの堰壁７上に一定間隔おきに立設される支柱２と、これら支柱２の上端部をつなぐ上枠３と、支柱２の下端部をつなぐ下枠４とによって手摺り枠体１を形成し、この手摺り枠体１の左右に対向する支柱２，２と上枠３と下枠４とからなる各ガラス取付枠５にガラス板６を嵌装してなるものである。
【００１２】
各ガラス取付枠５の左右支柱２は、図３及び図４から分かるように、角筒状の支柱本体８と、この支柱本体８の室外側面に突設された目地枠９とから構成される。この目地枠９は、支柱本体８とは別体に形成されて、支柱本体８の室外側面に取り付けられるもので、基台部１０と、この基台部１０の幅方向中央部に突設されてその左右両側にガラス嵌合部１１，１１を形成する突条壁１２と、この凸条壁１２の先端部に断面略Ｔ字状を成すように突設された化粧縁１３とからなり、基台部１０は、この基台部１０に設けた係嵌用の凸部１０ａ及び凹部１０ｂを、支柱本体８の室外側面に設け係嵌用の凹部８ａ及び凸部８ｂに対し夫々互いに係嵌させることにより、支柱本体８に長手方向スライド自在に取り付けられる。尚、この実施形態では、目地枠９を支柱本体８と別体に形成しているが、支柱本体８と目地枠９とを一体に形成してもよい。
【００１３】
各支柱２の支柱本体８及び目地枠９は、夫々アルミ押出形材によって形成されている。目地枠９の化粧縁１３にはガラス嵌合部１１の室外側に、先付けビート１４が、ガラス板６の取付け前に取り付けられる。基台部１０にはガラス嵌合部１１の室内側に、ガラス板６の左右端部の室内面を押えるための押えビート１５が、ガラス嵌合部１１へのガラス板６の嵌め込み後に、ガラス板６の室内面との間に介挿される。先付けビート１４及び押えビート１５は、夫々合成樹脂により形成されたものである。先付けビート１４を目地枠９の化粧縁１３に取り付けるには、図４の(b) に示すように、先付けビート１４の幅の狭くなった一側端部１４ａを、化粧縁１３の裏面部と突条壁１２側の小凸条部１２ａとの間の内隅部に嵌合させると共に、先付けビート１４の先端面側に設けてある凹溝部１４ｂを化粧縁１３の側端部から内向きに突出する小凸条部１３ｏに嵌め込んだ状態とすればよく、これにより先付けビート１４は、化粧縁１３に対して確実に固定され、簡単に外れるようなことはない。
【００１４】
ガラス板６は、２枚のガラス板を強靱な樹脂膜により接着して一体化した合わせガラスからなるもので、透明ガラス、乳白色ガラス、色ガラスなどを必要に応じて使用することができる。そして、このガラス板６は、図３及び図４の(a) に示すように、左右端部の室外面側に段落ち加工によって形成された凹段部６ｏを有し、この凹段部６ｏには、ガラス嵌合部１１へのガラス板６の挿入時に、目地枠９に取り付けてある化粧縁１３が突入嵌合するようになっている。尚、段落ち加工とは、ガラス板加工方法の一つで、ガラスの端部を断面Ｌ字状に切り落として、凹段部を形成する方法である。
【００１５】
上枠３は、図２に示すように、室外側端部にガラス嵌合部１６を有し、支柱本体８の上端面にビス１７止めされる取付基枠１８と、この取付基枠１８を被うように被嵌される笠木部材１９とからなるもので、この取付基枠１８及び笠木部材１９は夫々アルミ押出形材によって形成される。尚、取付基枠１８を支柱本体８の上端面に固定するビス１７は、支柱本体８内のビスホール８ｃ（図３，図４参照）にねじ込まれる。また図２に示すように取付基枠１８のガラス嵌合部１６の室内側端部にはバックアップ材２０が取り付けられ、ガラス嵌合部１１の室外側端部に受けゴム２１が取り付けられている。そして、笠木部材１９は、その室外側係止部１９ａを取付基枠１８の係止部１８ａに係止させ、室内側係止部１９ｂを取付基枠１８の室内側係止部１８ｂに係止させることによって、取付基枠１８を被うように被嵌される。
【００１６】
下枠４は、図２及び図５に示すような矩形枠状のアルミ押出形材からなるもので、左右に対向する支柱２，２の目地枠９，９間に介挿されて、支柱本体８にビス２９止めされるようになっている。この下枠４の内底部にセッティングブロック（スペーサ）３０が設けられ、このセッティングブロック３０の上部側がガラス嵌合部２２を形成し、このガラス嵌合部２２の室外側に受けゴム２３が取り付けられ、室内側にバックアップシール材２４が取り付けられている。
【００１７】
また図５に示すように、支柱本体８の目地枠９は、ガラス取付枠５の下枠４の端部４ａが位置する部分から下方が支柱本体８から切除されている。そして、この下方部分が切除された目地枠９の下端側に接するように、左右に隣り合うガラス取付枠５，５の双方の下枠４，４の対向端部４ａ，４ａが突き合わされ、この突き合わさった両下枠４，４の対向端部４ａ，４ａの間隙２５を覆い隠す化粧カバー２６が両下枠４，４の対向端部４ａ，４ａにわたって設けてある。化粧カバー２６は、両下枠４，４の対向端部４ａ，４ａの室外側面を覆う正面板部２６ａと、前記対向端部４ａ，４ａの底面を覆う下板部２６ｂとによって略Ｌ字状に形成されたカバー本体２６ａｂからなるもので、下板部２６ｂの内側縁部には前記対向端部４ａ，４ａの室内側面にビス３７止めされるビス止め片２６ｃが設けられ、正面板部２６ａの上端部には前記対向端部４ａ，４ａの室外側面上端部に係止される係止縁部２６ｄが設けられている。
【００１８】
上記下枠４を支柱２に取り付けるにあたっては、下枠４の端部４ａの室内側部分を平面視略Ｌ字状に切欠して、その切欠部４ｏを、図４及び図５に示すように、支柱本体８の室外側面及びこれに隣接する横側面部にわたって係合した状態で、下枠４内の室内側で上下に対向突出する上下フランジ片２７，２８から夫々支柱本体８の室外側面に対しビス２９をねじ込むことによって、下枠４の端部４ａを支柱本体８に固定する。
【００１９】
この場合、下枠４内の室内側上部フランジ片２７から支柱本体８の室外側面にビス２９をねじ込むにあたり、下枠端部４ａの室外側側壁３１上部から室外側受けゴム取付溝３３及び室内側バックアップシール材取付溝３４にわたってドリル、ビス、ドライバー挿通用の孔（図示省略）を開ける必要があり、図５には下枠端部４ａの室外側側壁３１上部に設けた孔を３５で示す。また、下枠端部４ａの室外側側壁３１下部に同様にドリル、ビス、ドライバー挿通用の孔３６を開ける。しかして、この下枠端部４ａの室外側側壁３１上部に設けた孔３５から、先ずドリル（図示せず）を挿入して、下枠４室内側の上部フランジ片２７と、下枠端部４ａの室内側側壁３２上部とにビス挿通用孔を開け、次いで室外側側壁３１の下部の孔３６からドリルを挿入して、下枠４室内側の下部フランジ片２８と、下枠端部４ａの室内側側壁３２下部とにビス挿通用孔を開ける。その後、前記孔３５から上部フランジ片２７及び室内側側壁３２のビス挿通用孔にビス２９を挿入して、ドライバー（図示せず）で支柱本体８の室外側面に対しビス２９をねじ込み、また下部の孔３６から下部フランジ片２８及び室内側側壁３２のビス挿通用孔にビス２９を挿入し、ドライバーで支柱本体８の室外側面にビス２９をねじ込めばよい。
【００２０】
化粧カバー２６を図５の仮想線で示すように両下枠４，４の対向端部４ａ，４ａにわたって取り付けるには、カバー本体２６ａを下枠４の室外側面及び底面に嵌合させ、ビス止片２６ｂを下枠４の室内側下端コーナー部に係合させると共に、係止縁部２６ｃを下枠４の室外側面上端部に係止させ、そしてこの係止縁部２６ｃを、図２〜図４の(a) に示すようにビス３７で下枠４の室内側側壁３２に対して固定する。こうして図５の仮想線で示すように両下枠４，４の対向端部４ａ，４ａにわたって化粧カバー２６を取り付けることにより、両下枠４，４の対向端部４ａ，４ａの間隙２５が覆い隠されると共に、下枠４の室外側側壁３１に設けられた孔３５，３６が覆い隠されるから、両下枠４，４の対向端部４ａ，４ａにおける室外側での外観上の体裁、見栄えを良くすることができる。
【００２１】
尚、図１に示す手摺りにおける各ガラス取付枠５の寸法の一例を示せば、左右に対向する支柱２，２間のピッチＰは１２００ｍｍ、目地枠９の化粧縁１３に先付けビート１４を取り付けた状態での目地幅ｖ（図４の(a) 参照）は約１５ｍｍ、化粧縁１３の幅ｗ（図４の(a) 参照）は１０ｍｍ、上枠３の厚み幅ｎは３０ｍｍ、下枠４の厚み幅ｍは３０ｍｍ、手摺り高さＨは１２００ｍｍである。
【００２２】
次に、上述した手摺りのガラス取付枠５にガラス板６を嵌装する手順について説明すると、ガラス板６の取付けにあたって、上枠３は支柱本体８の上端に未だ取り付けていない状態とし、また各ガラス取付枠５の支柱２には目地枠９の化粧縁１３に先付けビート１４を取り付けて、図５に示すような状態にしておく。
【００２３】
それから、左右に対向する両突条壁１２，１２のガラス嵌合部１１，１１間にガラス板６を、上板３の取り付けられていないガラス取付枠５に対し、上方より挿入して、ガラス板６の左右端部の凹段部６ｏに先付けビート１４を突入嵌合させた状態とし、それにより目地枠９の化粧縁１３は、図４の(a) に示すように、その外面がガラス板６の室外面から出っ張らず、それとほとんど面一状態となる。そして、この時、ガラス板６の下端部は、図２に示すように下枠４内のガラス嵌合部２２に納まって、セッティングブロック３０上に支持されると共に、室外側の受けゴム２３と室内側のバックアップシール材２４とで挟持されてシールされる。
【００２４】
上記のようにしてガラス板６の左右両端部を左右に対向する両突条壁１２，１２のガラス嵌合部１１，１１間に嵌め入れると共に、ガラス板６の下端部を下枠４内のガラス嵌合部２２に嵌め込んだ後、目地枠９の基台部１０とガラス板６との間に押えビート１５を挿入して、この押えビート１５によりガラス板６の左右端部室内面を押え付け、それによりガラス板６のガラス板６の左右端部室外面を先付けビート１４に密接させる。
【００２５】
次いで、上枠３の取付基枠１８を支柱本体８の上端面にビス１７で固定し、そしてこの取付基枠１８に笠木部材１９を被嵌して、図２に示すような状態とする。取付基枠１８に形成されるガラス嵌合部１６の室内側にはペースト状のシール材３８を詰め込み、また下枠４のガラス嵌合部２２の室内側にもペースト状のシール材３８を詰め込む。これによって、ガラス板６の嵌め込みを終了する。
【００２６】
上述した図１〜図５に示すような実施形態の手摺りのガラス板取付構造によれば、各ガラス取付枠５の支柱２が、角筒状の支柱本体８と、これの室外側面に突設されてその左右両側にガラス嵌合部１１，１１を形成する目地枠９とからなり、左右に対向する支柱２，２の目地枠９，９間に下枠４が介挿されると共に、左右に隣り合うガラス取付枠５の両下枠４，４の対向端部４ａ，４ａが目地枠９の下端側で互いに突き合わせられて、両下枠４，４の対向端部４ａ，４ａが支柱本体８にビス２９止めされ、この突き合わさった両下枠４，４の対向端部４ａ，４ａ間の隙間２５を覆う化粧カバー２６が設けられているため、両下枠４，４の対向端部４ａ，４ａの間隙２５が覆い隠されると共に、下枠４の室外側側壁３１に設けられた孔３５，３６が覆い隠されることになって、両下枠４，４の対向端部４ａ，４ａにおける室外側での外観上の体裁、見栄えを良くすることができる。
【００２７】
また化粧カバー２６は、両下枠４，４の対向端部４ａ，４ａの室外側面を覆う正面板部２６ａと、前記対向端部４ａ，４ａの底面を覆う下板部２６ｂとで略Ｌ字状に形成されたカバー本体２６ａｂからなるもので、下板部２６ｂの内側縁部には前記対向端部４ａ，４ａの室内側面にビス３７止めされるビス止め片２６ｃが設けられ、正面板部２６ａの上端部には前記対向端部４ａ，４ａの室外側面上端部に係止される係止縁部２６ｄが設けられているから、図２及び図５に示すように、カバー本体２６ａｂを下枠４の室外側面及び底面に嵌合させ、ビス止片２６ｂを下枠４の室内側下端コーナー部に係合させると共に、係止縁部２６ｄを下枠４の室外側面上端部に係止させ、そうしてビス止め片２６ｃを、図２及び図４の(a) に示すようにビス３７で前記対向端部４ａ，４ａの室内側側壁３２，３２に固定することによって、簡単容易に取り付けることができる。
【００２８】
また、この手摺りにおいて、各支柱２の目地枠９は、図２及び図５に示されるように、下枠４の端部が位置する部分より下方が支柱本体８から切除されているため、下枠４の取付けが容易になると共に、外観上の体裁がより一層良好となる。
【符号の説明】
【００２９】
１            手摺り枠体
２            支柱
３            上枠
４            下枠
４ａ          下枠の端部
５            ガラス取付枠
６            ガラス板
７            堰壁
８            支柱本体
９            目地枠
１０          目地枠の基台部
１１          ガラス嵌合部
１２          目地枠の突条壁
１３          目地枠の化粧縁
２６          化粧カバー
２６ａ        正面板部
２６ｂ        下板部
２６ｃ        ビス止め片
２６ｄ        係止縁部
【図１】
0005330322.tif 000002
【図２】
0005330322.tif 000003
【図３】
0005330322.tif 000004
【図４】
0005330322.tif 000005
【図５】
0005330322.tif 000006